(57)【要約】      （修正有）【課題】皮膚表面の所望の部位に押し当てて、炭酸水その他の液体を吐出しながら、突起部によりマッサージを行うマッサージ具を提供する。【解決手段】マッサージ具１は、突起部１４と吐出孔１５を有する本体部と、この本体部の中央付近に取り付ける液供給部２０と、吐出孔１５に挿通する弁部材３０と、液供給部２０内に取り付ける弾性部材４０とから成る。皮膚表面Ｆのうちの所望の部分に、弁部材３０の当接部３１を当てて、そのままマッサージ具１ごと押し込むと、当接部３１が押し上げられ、これに伴い密閉部材３３が環条部３２と共に上昇する。吐出孔１５と当接部３１の間にクリアランスが生じ、吐出孔１５からペットボトルＰ内の炭酸水Ｗを吐出しながら、突起部１４によりマッサージを行う。【選択図】図６
0003204733.tif 000002
【実用新案登録請求の範囲】
【請求項１】
一方の端部を開口し、液体用容器の注ぎ口と連結する円筒状の連結部と、該連結部の他方の端部を覆い中央に液体の吐出孔を設けた円板部と、該円板部上に設けた複数のマッサージ用の突起部とを備えたマッサージ具であって、前記吐出孔には棒状の弁部材を挿通したことを特徴とするマッサージ具。
【請求項２】
前記連結部の内側には、筒状体から成る液供給部が取り付けられており、前記液供給部は、内部に前記弁部材に対して付勢する弾性部材を備え、前記弾性部材の付勢力により前記吐出孔を密閉したことを特徴とする請求項１に記載のマッサージ具。
【請求項３】
前記弁部材は、一方の端部に前記液供給部内に挿入する環条部を備え、他方の端部に前記吐出孔に挿通する当接部を備えたことを特徴とする請求項２に記載のマッサージ具。
【請求項４】
前記環条部の当接部側には、前記吐出孔を密閉する密閉部材を挿通したことを特徴とする請求項３に記載のマッサージ具。
【請求項５】
前記液供給部の側面には、流入孔を形成したことを特徴とする請求項２〜４の何れか１項に記載のマッサージ具。
【考案の詳細な説明】
【技術分野】
【０００１】
本考案は、ペットボトル内の液体を供給しながら使用するマッサージ具に関するものである。
【背景技術】
【０００２】
炭酸水を頭肌や頭髪に接触させると、頭肌や頭髪に付着した汚れを除去すると共に、血行促進作用による美容効果を生じさせることが知られている。
【０００３】
そして、このような炭酸水の性質を利用する器具も存在し、例えば特許文献１には、湯水を供給する湯水供給管路に配置し、多数の孔を設けた散水板から炭酸ガスを含む湯水を散水する血行促進シャワーが開示されている。
【０００４】
この従来の散水板によれば、散水板から散水される炭酸水を皮膚表面に供給することで、血行を促進する等の効果を得ることが可能である。
【先行技術文献】
【特許文献】
【０００５】
【特許文献１】特開２００２−２７２８０５号公報
【考案の概要】
【考案が解決しようとする課題】
【０００６】
炭酸水供給具によって、皮膚表面の所望の部位に炭酸水を供給するためには、炭酸水供給口を所望の部位に向ける手順と、炭酸水の供給を開始する手順とが必要である。
【０００７】
これらの手順について、特許文献１の血行促進シャワーに適用すると、片手で散水板を所望の部位に向けた後に、他方の手で蛇口等を捻る必要がある。蛇口等が低い位置にある場合は面倒であり、また炭酸水の散水を開始した後に、散水板を所望の部位に向ける場合には、所望の部位に向けるまでの間、炭酸水が無駄になる。
【０００８】
本考案の目的は、上述の課題を解消し、皮膚表面の所望の部位に当接部を押し当てるだけでボトル内の液体を吐出し、かつ引き離すことによりその吐出を停止し、液の吐出中に突起部によりマッサージを行うマッサージ具を提供することにある。
【課題を解決するための手段】
【０００９】
上記目的を達成するための本考案に係るマッサージ具は、一方の端部を開口し、液体用容器の注ぎ口と連結する円筒状の連結部と、該連結部の他方の端部を覆い中央に液体の吐出孔を設けた円板部と、該円板部上に設けた複数のマッサージ用の突起部とを備えたマッサージ具であって、前記吐出孔には棒状の弁部材が挿通していることを特徴とする。
【考案の効果】
【００１０】
本考案に係るマッサージ具によれば、皮膚表面の所望の部位に当接部を押し当てるだけでボトル内の液体を吐出し、液を吐出しながら皮膚表面に対し突起部を動かしてマッサージを行うことができる。
【図面の簡単な説明】
【００１１】
【図１】突起部を上方に向けた状態のマッサージ具の斜視図である。
【図２】突起部を下方に向けた状態の斜視図である。
【図３】断面図である。
【図４】ペットボトルに連結した状態の一部を断面とした側面図である。
【図５】ペットボトルに連結したマッサージ具を上下に反転させた状態の断面図である。
【図６】当接部を押し上げた状態の断面図である。
【考案を実施するための形態】
【００１２】
本考案を図示の実施例に基づいて詳細に説明する。
図１は突起部を上方に向けた状態のマッサージ具１の斜視図であり、図２は突起部を下方に向けた状態の斜視図であり、図３は断面図である。
【００１３】
本実施例に係るマッサージ具１は主として合成樹脂材から成り、本体部１０と、この本体部１０の中央付近に取り付ける液供給部２０及び弁部材３０と、液供給部２０内に取り付ける弾性部材４０とから成っている。
【００１４】
本体部１０の下端は、開口されペットボトルＰの注ぎ口と連結可能とした円筒状の連結部１１とされ、この連結部１１の上部の上方に拡がる円錐部１２上は一体又は別体から成る円板部１３により覆われている。
【００１５】
連結部１１及び円錐部１２は剛性を有する合成樹脂材から成り、連結部１１の内周側面には、ペットボトルＰの注ぎ口の雄ねじと螺合可能な雌ねじが刻設されている。
【００１６】
円板部１３の表面には、複数個の突起から成るマッサージ用の突起部１４が突出されている。これらの突起部１４は皮膚表面に当接して摺動させることにより、マッサージするための頂点を丸くした円錐状の突起体であり、弾性を有するゴム材や合成樹脂材から成っている。
【００１７】
円板部１３及び突起部１４は弾性を有する材料による一体成形、又は別体を接着や熱融着等により製造される。また、突起部１４に代えて複数の起毛体から成る部材を、剛性や弾性を有する合成樹脂材に取り付けるようにしてもよい。
【００１８】
円板部１３の中央には、液体を吐出可能な吐出孔１５が設けられている。円板部１３の裏面で連結部１１の内側には、吐出孔１５を囲むようにして筒部１６が立設されており、筒部１６の内周面には爪部１７が内方に向けて突設されている。
【００１９】
筒部１６内に入り込む筒状体から成る液供給部２０は、上端が開口され下端が閉塞されており、その外径は筒部１６の内径と略一致しているが、長さは筒部１６よりも長くされている。
【００２０】
液供給部２０の側面には、液体を流入するためのスリット状の複数個の流入孔２１が上下方向に形成されている。また、液供給部２０の開口端の周縁には、引掛部２２が設けられており、この引掛部２２に筒部１６の爪部１７が引っ掛かることにより、液供給部２０は筒部１６を介して本体部１０に取り付けられている。
【００２１】
剛性を有する合成樹脂材から成る弁部材３０は、上下移動により吐出孔１５を開閉するための棒状部材であり、上端は当接部３１とされ、下端に環条部３２を有している。
【００２２】
弁部材３０は吐出孔１５内を上下動するために、弁部材３０と吐出孔１５間にはクリアランスが設けられているが、後述する液吐出時に適量の液が吐出するように、そのクリアランスは小さくされている。
【００２３】
環条部３２は吐出孔１５を閉塞すると共に、弁部材３０が液供給部２０から脱落しないようにするための部分であり、液供給部２０内に挿入されている。環条部３２は吐出孔１５の内径よりも大きくされており、環条部３２の当接部３１側には、ゴム材のＯリングから成る密閉部材３３が挿通されている。
【００２４】
また、当接部３１の高さは環条部３２を強制的に移動できるように、環条部３２が密閉部材３３により吐出孔１５を閉塞している状態において、突起部１４の高さよりも大きくされている。
【００２５】
液供給部２０の下端の閉塞部と環条部３２との間には、例えばコイルスプリングから成る弾性部材４０が嵌め込まれており、弁部材３０は当接部３１が押し出されるように弾性部材４０により付勢されている。
【００２６】
これらの部材を用いてマッサージ具１を組立てるには、まず弁部材３０を本体部１０に取り付ける。即ち、弁部材３０の当接部３１の先端を本体部１０の円板部１３の上側面の方から吐出孔１５に案内して挿入する。次に、弾性部材４０を液供給部２０の下端開口から内部へと挿入する。最後に、弾性部材４０を収納したままの液供給部２０を、本体部の円板部１３の上側面の方から筒部１６に挿入し、液供給部２０の引掛部を筒部１６の爪部１７に引っ掛けて、液供給部２０を本体部１０に固定する。
【００２７】
このとき、弁部材３０のうちの環条部３２は、弾性部材４０により円板部１３に向けて付勢された状態で吐出孔１５を閉塞することになる。同様に、弁部材３０のうちの当接部３１は、吐出孔１５を通じて液供給部２０から円板部１３の上方へと抜け出して、その先端を突起部１４よりも高く露出させている。
【００２８】
炭酸水Ｗが収容されたペットボトルＰを用意して、その栓を開けて注ぎ口を露出させる。なお、マッサージ具１はペットボトルＰを含むシャンプー用ボトル等の液体用容器と接続可能であり、液体用容器に収容される液体は、炭酸水の他にシャンプー、整髪料、化粧水、洗浄液等の液体であれば特に限定されることはない。
【００２９】
次に、マッサージ具１の連結部１１の開口端をペットボトルＰの注ぎ口に当て、そのまま回転させて螺合させる。これにより、図４に示すようにマッサージ具１とペットボトルＰとが連結される。
【００３０】
マッサージ具１を使用する際は、先ず図４の状態で軽くペットボトルＰを振り炭酸ガスを発生させて内圧を高めて、炭酸水Ｗを吐出し易くする。
【００３１】
図５は皮膚表面Ｆにマッサージ具１を向けた際のマッサージ具１を上下に反転させた状態の断面図であり、ペットボトルＰに収納された炭酸水Ｗは、液供給部２０の流入孔２１を経て、液供給部２０の内部へと流入する。しかし、吐出孔１５は弁部材３０の密閉部材３３により密閉されているため、このままでは炭酸水Ｗが流出することはない。
【００３２】
そして、皮膚表面Ｆのうちの所望の部分に、弁部材３０の当接部３１を当てて、そのままマッサージ具１ごと押し込む。すると、図６に示すように当接部３１が押し上げられ、これに伴い密閉部材３３が環条部３２と共に上昇し、吐出孔１５と当接部３１の間にクリアランスが生じ、このクリアランスからペットボトルＰ内の内圧を高めた状態の炭酸水Ｗが吐出される。
【００３３】
このとき、突起部１４は皮膚表面Ｆに接しているので、ペットボトルＰを持って突起部１４を皮膚表面Ｆを摺動させるようにして前後左右に動かす。これにより、炭酸水Ｗを矢印に示すように吐出させながら、突起部１４によるマッサージを行うことができ、格別な爽快感が得られる。
【００３４】
マッサージの終了に伴い、皮膚表面Ｆに当接していた当接部３１の先端を皮膚表面Ｆからマッサージ具１ごと引き離すと、当接部３１による環条部３２の押し上げが解除され、弾性部材４０の付勢力により環条部３２と共に密閉部材３３を上昇して吐出孔１５を密閉し、これにより炭酸水Ｗの吐出は停止する。
【００３５】
このように、本実施例に係るマッサージ具１によれば、当接部３１を皮膚表面Ｆのうちのマッサージをすべき所望の部位に押し当てて炭酸水Ｗを吐出し、引き離すことによりその吐出を停止することができる。従って、必要な量だけ炭酸水Ｗを使用することができ、炭酸水Ｗを無駄にすることがない。
【００３６】
そして、マッサージ具を使用することにより、炭酸水Ｗによる血行促進効果と突起部１４によりマッサージ効果とが相乗的に得られ、肌等に対して美容、健康を保持することが可能である。
【符号の説明】
【００３７】
１  マッサージ具
１０  本体部
１１  連結部
１２  円錐部
１３  円板部
１４  突起部
１５  吐出孔
１６  筒部
２０  液供給部
２１  流入孔
３０  弁部材
３１  当接部
３２  環条部
３３  密閉部材
４０  弾性部材
Ｐ  ペットボトル
【図１】
0003204733.tif 000003
【図２】
0003204733.tif 000004
【図３】
0003204733.tif 000005
【図４】
0003204733.tif 000006
【図５】
0003204733.tif 000007
【図６】
0003204733.tif 000008